(57)【特許請求の範囲】
【請求項１】
遊技盤が配設された中枠に対し、開口部が開設された前枠が開閉可能に組付けられると共に、該前枠に、遊技盤の前面を透視保護する透明板を支持枠内に組付けた透視ユニットが裏側から着脱自在に配設され、前記遊技盤の前面に、遊技領域を画成する内レールと外レールとを備えた案内レールが配設され、前記外レールの下端と、前記中枠の前面に設けた発射レールの上端との間に、内レールと外レールとにより画成されて遊技球が通過する発射通路の下方開口部分と対応して戻り球排出口が形成され、前記案内レールから発射レール側に戻る遊技球を戻り球排出口から排出するよう構成した遊技機において、
前記前枠の裏面に、前記透視ユニットを支持するセット枠が設けられ、
前記セット枠は、前枠の前記開口部の下方に位置して前記透視ユニットを載置して支持する支持部材を備え、
前記支持部材に、幅方向に所定長さを有する防犯部材が幅方向に沿う軸線回りに揺動可能に配設され、
前記防犯部材は、横長板状に形成されて前記支持部材に揺動可能に支持される基部と、該基部に形成された閉塞部と、この閉塞部に形成された規制部とを備え、
前記防犯部材は、中枠に対して前枠を閉成した状態で前記透明板の裏側に臨んで、前記戻り球排出口の上方で透明板と内レールとの隙間を前記閉塞部が左右方向の所定長さに亘って塞ぐ不正防止位置と、中枠に対して前枠を開放した状態で該前枠の裏側下方へ向けて回転することにより透明板の裏側から待避して不正防止位置から透視ユニットの前枠に対する着脱を許容する傾倒位置へ変位するよう構成され、
前記防犯部材の前記規制部は、前記不正防止位置において前記内レールの下面に沿って前記戻り球排出口の上方から遊技球の発射方向前側に向けて所定長さで延在し、
前記防犯部材の前面における前記基部と閉塞部との連設部に、不正防止位置において前記支持枠の下端縁部が嵌合する段部が、前記戻り球排出口の前側を左右方向に延在するよう基部の全長に亘って形成され、
前記防犯部材を不正防止位置に位置させた状態で、前記規制部における前記発射通路の下方開口部分を挟んで外レールから離間する端に、下方に向けて折曲した規制突部が設けられる
ことを特徴とする遊技機。
【請求項２】
前記支持部材に、幅方向に離間して一対の軸部が相互に離反する方向に突出されると共に、前記防犯部材の基部における長手方向の両端部に、枢支孔が穿設された延出部が夫々前方に延出するよう形成され、両枢支孔に対応する軸部を挿通することで、支持部材に対して防犯部材が揺動可能に配設され、
前記支持部材における一対の軸部の間の略中央に係合部が形成されると共に、該係合部に係脱自在に係合する被係合部が前記防犯防材の基部における一対の延出部の間の略中央に形成され、該防犯部材を傾倒位置から不正防止位置に変位させた際に、係合部に被係合部が係合して防犯防材を不正防止位置に保持すると共に、該係合部と被係合部との係合位置より上側において前記一対の延出部の間の全長に亘って前記段部を前記支持枠の下端縁部に嵌合するよう構成した請求項１記載の遊技機。
【発明の詳細な説明】
【技術分野】
【０００１】
本発明は、中枠に開閉可能に組付けられる前枠に、遊技盤と透視ユニットとの隙間からのワイヤ等の侵入を防止する防犯部材を配設した遊技機に関するものである。
【背景技術】
【０００２】
遊技機の一例であるパチンコ球(遊技球)を使用して遊技を行なうパチンコ機は、その基本構成として、縦長方形の外枠の開口前面側に、各種の必要な遊技構成部材が搭載されて遊技盤を収容セットした中枠を開閉(横開き)および着脱可能に組付けると共に、遊技盤の前面を透視保護するガラスユニットを組付けた前枠を、中枠に対して開閉(横開き)および着脱可能に組付けて１台単位で構成される。
【０００３】
前記遊技盤の前面に、所要の遊技領域を画成する内レールおよび外レールからなる案内レールが配設されると共に、前記中枠には発射レールが配設されている。そして、中枠に配設した操作ハンドルの操作により発射レールから打出したパチンコ球を、前記案内レールを介して遊技盤の遊技領域に導くよう構成されている。しかし、パチンコ球の打出力の不足により、遊技領域に到達せずに逆戻りするパチンコ球(いわゆる戻り球)が発生することがある。この戻り球は、外レールの下端と発射レールの上端との間に形成された戻り球排出口を介して、中枠に設けた下球皿に戻されるようになっている。
【０００４】
前述したように、戻り球排出口は下球皿に連通しているため、該戻り球排出口を悪用した不正行為が行なわれ易いことが問題となっている。具体的には、例えばワイヤ等の不正器具の先端部を、下球皿の球出口から戻り球排出口内に挿入させ、更に内レールと前枠のガラスユニットの間を通して遊技領域内に到達させる。そして、例えば始動入賞口の羽根部材等を不正器具の先端部で開放させて、パチンコ球を受け入れ易い状態にし、多くの賞球を獲得する不正行為が行なわれることがある。
【０００５】
この問題を解決するために、例えば特許文献１に開示のパチンコ機用の防犯部材が提案されている。この防犯部材は、その下縁および左右側縁を、前面枠(中枠)に開閉自在に組付けたガラス枠(前枠)のフレームに設けた溝に差し込むことで、フレームに組付けたガラス板の裏側に取付けられる。そして、前面枠に対してガラス枠を閉成したときに、内レールとガラス板との隙間を当該防犯部材で塞ぐことで、不正器具の遊技領域への侵入防止を図っている。
【特許文献１】特開平６−１１４１４６号公報
【発明の開示】
【発明が解決しようとする課題】
【０００６】
特許文献１に開示の防犯部材は、前述したようにガラス板の裏側に臨むようにガラス枠に取付けられているため、フレームに対してガラス板を交換等する場合は、該ガラス板の取外しや取付け時にはその都度防犯部材を取外したり取付ける必要があり、手間が掛かる問題が指摘される。また、ガラス板の交換等に際して取外した防犯部材を、ガラス板を取付けた後に取付けるのを忘れることがある。更には、取外した防犯部材を別の場所に置いておくことで、ガラス板を取付けている間に無くしてしまうおそれもあった。
【０００７】
すなわち、本発明は、前述した従来の技術に内在している前記課題に鑑み、これを好適に解決するべく提案されたものであって、透視ユニットの取付けや取外し作業の妨げになることがなく、かつ無くしたり取付け忘れを防止し得る防犯部材を備えた遊技機を提供することを目的とする。
【課題を解決するための手段】
【０００８】
前記課題を克服し、所期の目的を達成するため、請求項１の発明に係る遊技機は、
遊技盤(12)が配設された中枠(13)に対し、開口部(28a)が開設された前枠(15)が開閉可能に組付けられると共に、該前枠(15)に、遊技盤(12)の前面を透視保護する透明板(29)を支持枠(30)内に組付けた透視ユニット(14)が裏側から着脱自在に配設され、前記遊技盤(12)の前面に、遊技領域(12a)を画成する内レール(18,20)と外レール(19)とを備えた案内レール(21)が配設され、前記外レール(19)の下端と、前記中枠(13)の前面に設けた発射レール(26)の上端との間に、内レール(18)と外レール(19)とにより画成されて遊技球が通過する発射通路(22)の下方開口部分(22a)と対応して戻り球排出口(25a)が形成され、前記案内レール(21)から発射レール(26)側に戻る遊技球を戻り球排出口(25a)から排出するよう構成した遊技機において、
前記前枠(15)の裏面に、前記透視ユニット(14)を支持するセット枠(34)が設けられ、
前記セット枠(34)は、前枠(15)の前記開口部(28a)の下方に位置して前記透視ユニット(14)を載置して支持する支持部材(32)を備え、
前記支持部材(32)に、幅方向に所定長さを有する防犯部材(58)が幅方向に沿う軸線回りに揺動可能に配設され、
前記防犯部材(58)は、横長板状に形成されて前記支持部材(32)に揺動可能に支持される基部(59)と、該基部(59)に形成された閉塞部(60)と、この閉塞部(60)に形成された規制部(61)とを備え、
前記防犯部材(58)は、中枠(13)に対して前枠(15)を閉成した状態で前記透明板(29)の裏側に臨んで、前記戻り球排出口(25a)の上方で透明板(29)と内レール(18,20)との隙間を前記閉塞部(60)が左右方向の所定長さに亘って塞ぐ不正防止位置と、中枠(13)に対して前枠(15)を開放した状態で該前枠(15)の裏側下方へ向けて回転することにより透明板(29)の裏側から待避して不正防止位置から透視ユニット(14)の前枠(15)に対する着脱を許容する傾倒位置へ変位するよう構成され、
前記防犯部材(58)の前記規制部(61)は、前記不正防止位置において前記内レール(18,20)の下面に沿って前記戻り球排出口(25a)の上方から遊技球の発射方向前側に向けて所定長さで延在し、
前記防犯部材(58)の前面における前記基部(59)と閉塞部(60)との連設部に、不正防止位置において前記支持枠(30)の下端縁部が嵌合する段部(64)が、前記戻り球排出口(25a)の前側を左右方向に延在するよう基部(59)の全長に亘って形成され、
前記防犯部材(58)を不正防止位置に位置させた状態で、前記規制部(61)における前記発射通路(22)の下方開口部分(22a)を挟んで外レールから離間する端に、下方に向けて折曲した規制突部(61a)が設けられることを特徴とする。
請求項１に係る発明では、前枠に対して防犯部材を揺動可能に配設したから、該前枠に対して透視ユニットを取付けたり取外す際には防犯部材を傾倒させるだけでよく、該防犯部材が邪魔となることはなく、作業が容易となる。また、透視ユニットの取付けや取外し時に、防犯部材を前枠から取外す必要はないから、該防犯部材を無くしたり取付け忘れを防止し得る。なお、防犯部材が傾倒位置に保持されている状態では、中枠に対して前枠を閉成することができず、防犯部材を正しく不正防止位置に保持した状態で前枠を中枠に対して閉成するので、常に不正防止が図られた状態で遊技が行なわれる。また、規制部における発射通路の下方開口部分を挟んで外レールから離間する端に、下方に向けて規制突部を折曲形成したから、戻り球排出口から通入して不正器具を規制部に沿って外レールから離間する方向に移動させたとしても、規制突部により不正器具の進行方向を変えて該不正器具の遊技領域内への侵入を防止することができる。
【０００９】
請求項２に係る遊技機は、前記支持部材(32)に、幅方向に離間して一対の軸部(63,63)が相互に離反する方向に突出されると共に、前記防犯部材(58)の基部(59)における長手方向の両端部に、枢支孔(62a)が穿設された延出部(62)が夫々前方に延出するよう形成され、両枢支孔(62a,62a)に対応する軸部(63,63)を挿通することで、支持部材(32)に対して防犯部材(58)が揺動可能に配設され、
前記支持部材(32)における一対の軸部(63,63)の間の略中央に係合部(65)が形成されると共に、該係合部(65)に係脱自在に係合する被係合部(59a)が前記防犯防材(58)の基部(59)における一対の延出部(62,62)の間の略中央に形成され、該防犯部材(58)を傾倒位置から不正防止位置に変位させた際に、係合部(65)に被係合部(59a)が係合して防犯防材(58)を不正防止位置に保持すると共に、該係合部(65)と被係合部(59a)との係合位置より上側において前記一対の延出部(62,62)の間の全長に亘って前記段部(64)を前記支持枠(30)の下端縁部に嵌合するよう構成した。
請求項２に係る発明では、防犯部材を不正防止位置に確実に保持し得るから、中枠に対して前枠を閉成する際に、該防犯部材が不用意に傾倒して閉成を阻害したり、該防犯部材が損傷するのを防止し得る。
【発明の効果】
【００１０】
本発明に係る遊技機によれば、防犯部材が前枠に対する透視ユニットの取付けや取外しの妨げとなることがなく、メンテナンス性が向上する。また、防犯部材を無くしたり取付け忘れを防止し得る。
【発明を実施するための最良の形態】
【００１１】
次に、本発明に係る遊技機につき、好適な実施例を挙げて、添付図面を参照しながら以下詳細に説明する。なお本実施例では、遊技機として、パチンコ球(遊技球)を遊技媒体として使用する一般的なパチンコ機を例にして説明する。なお、以下の説明において左・右とは、特に断りのない限り、図２に示すようにパチンコ機を正面から見た状態において指称するものとする。
【実施例】
【００１２】
実施例に係るパチンコ機１０は、図２に示すように、矩形枠状に形成されて外郭をなす外枠１１の開口前面側に、遊技盤１２を保持した中枠１３が開閉可能に組付けられる。この中枠１３の前面側には、前記遊技盤１２を透視保護するガラスユニット(透視ユニット)１４を設けた前枠１５が開閉可能に組付けられると共に、該前枠１５の下方にパチンコ球を貯留する下球皿１６を開閉可能に組付けるよう構成される。なお、前記前枠１５の下部位置には、パチンコ球を貯留する上球皿１７が一体的に設けられており、前枠１５の開閉に合わせて上球皿１７も開閉するよう構成されている。
【００１３】
前記遊技盤１２の前面(盤面)における左方位置には、図１または図１１に示す如く、左方に膨出する円弧状に形成した内レール部材１８および外レール１９が配設されると共に、該盤面の右方位置には、左端縁を右方に凹む円弧状に形成したコーナーレール２０が配設され、内レール部材１８と外レール１９とからなる案内レール２１およびコーナーレール２０により略円形の遊技領域１２ａを画成するようになっている。そして、前記遊技盤１２における遊技領域１２ａ内に多数の遊技釘(図示せず)を植設して、パチンコ球の接触による複雑な動きを付与するよう構成される。また遊技領域１２ａ内には、パチンコ球が入賞可能な各種入賞装置や、図柄を変動表示可能な図柄表示装置等の遊技部品(何れも図示せず)が配設されて、該遊技領域１２ａを流下するパチンコ球の入賞装置への入賞により所要の遊技が行なわれるようにしてある。なお、遊技領域１２ａの最下部中央位置にアウト口１２ｂが開設され、各種入賞装置に入賞することなく遊技領域１２ａを流下したパチンコ球を該アウト口１２ｂを介して排出するよう構成される。
【００１４】
前記外レール１９は、帯状の金属薄板を円弧状に湾曲させた部材で構成されて、遊技盤１２の盤面における外周近傍に設けられる。これに対し、前記内レール部材１８は、合成樹脂製の板材を円弧状に湾曲させた部材で構成されて、外レール１９の内方に離間して設けられる。ここで、外レール１９および内レール部材１８は、１個のパチンコ球が通過し得るよう離間して遊技盤１２に設けられて、該外レール１９と内レール部材１８によりパチンコ球が通過する発射通路２２を画成するようになっている。なお、図１１に示す如く、外レール１９は、遊技盤１２の左下部から前記コーナーレール２０の上端部に接続する長尺に形成される一方、内レール部材１８はコーナーレール２０の下端部から遊技盤１２の左上部まで延在する寸法に設定され、発射通路２２は、遊技盤１２の下端部における左寄り位置(アウト口１２ｂより左側)で下方に開口している。そして、実施例では、コーナーレール２０の内周面が、遊技領域１２ａを画成するレールとしても機能するよう構成されており、実施例で内レールとは、内レール部材１８およびコーナーレール２０を含む意味で使用する。
【００１５】
図２に示す如く、前記中枠１３における下球皿１６の右側には、発射制御装置に接続するハンドル部材２３が配設されており、該ハンドル部材２３を回動操作することにより、発射制御装置の制御に基づいて発射ユニット２４(後述)が作動して、前記上球皿１７に貯留したパチンコ球を遊技盤１２の遊技領域１２ａに向けて発射するようになっている。
【００１６】
図１に示すように、前記中枠１３における遊技盤１２が保持される遊技盤保持部の下端部には、前方へ突出する庇状部２５が形成されており、中枠１３に対して閉成された前記前枠１５の裏側に該庇状部２５が当接するよう構成される。また庇状部２５における前記発射通路２２の入口(下方開口部分)２２ａと対応する位置には、上下に開口する戻り球排出口２５ａが形成されている。前記中枠１３における遊技盤保持部の下方に設けられた設置面部に、前記発射ユニット２４が配設されている。この発射ユニット２４に配設されて左方向へ向けて上方傾斜するよう配置された発射レール２６の傾斜上端部が、前記案内レール２１における発射通路２２の入口２２ａを指向し、該発射レール２６に沿って打ち出されたパチンコ球は、前記戻り球排出口２５ａを越えて外レール１９(発射通路２２)まで到来し、該外レール１９に沿って遊技盤１２の上部位置まで移動して遊技領域１２ａに発射される。なお、打出力が足りず、遊技領域１２ａに発射されることなく案内レール２１から発射レール２６側に戻る戻り球は、前記戻り球排出口２５ａを介して下球皿１６に戻されるよう構成される。
【００１７】
実施例に係る前枠１５は、所要の意匠形状に形成されてパチンコ機１０の前面を装飾する合成樹脂製の本体枠２７と、該本体枠２７の裏面側に配設される補強用の金属製のベース部材２８(図３等参照)とから構成されて、該ベース部材２８の裏側に、前記ガラスユニット１４を配置するようになっている。なお、前記本体枠２７には、前記遊技盤１２に対応する位置に前後に開口する窓部２７ａ(図９参照)が開設されており、該窓部２７ａの下方に前側に膨出するよう前記上球皿１７を一体形成してある。
【００１８】
ここで、前記ガラスユニット１４は、前後方向に所要間隔だけ離間させた２枚のガラス板(透明板)２９,２９の外周部を支持枠３０で保持して、単一部材として取扱い得るよう構成される(図３または図４参照)。なお、ガラスユニット１４は、図３に示すように、その上縁および下縁が略水平方向に延在し、かつ左右両側縁が略鉛直方向に延在するよう形成されている。また、ガラスユニット１４の下端部における左右側部は、外方へ向かうにつれて上方に傾斜するよう形成されると共に、該ガラスユニット１４の上端部における左右側部は、外方へ向かうにつれて下方に傾斜するよう形成される。なお、以下の説明において、ガラスユニット１４における水平方向に延在する下端部を水平下端部１４ａと指称し、該水平下端部１４ａに対して傾斜する左右の端部を傾斜下端部１４ｂと指称すると共に、該ガラスユニット１４における水平方向に延在する上端部を水平上端部１４ｃと指称し、該水平上端部１４ｃに対して傾斜する左右の端部を傾斜上端部１４ｄと指称するものとする。ここで、前記水平下端部１４ａに対する傾斜下端部１４ｂの傾斜角度と、前記水平上端部１４ｃに対する傾斜上端部１４ｄの傾斜角度は略同一になるよう設定される。
【００１９】
また、前記水平下端部１４ａおよび水平上端部１４ｃには、図３または図４に示すように、外方(水平下端部１４ａでは下方で、水平上端部１４ｃでは上方)に開口する凹部１４ｅを左右方向の所定長さに亘って凹設してある。更に、前記傾斜下端部１４ｂ,１４ｂおよび傾斜上端部１４ｄ,１４ｄには、外方に突出する三角形状の固定板３１が夫々形成されている。すなわち、実施例のガラスユニット１４は、正面視において、上下対称かつ点対称の略八角形を呈するよう形成してある。なお、前記下側の固定板３１および上側の固定板３１は、略直角三角形で斜辺が支持枠３０に接すると共に、その下端縁(外端縁)または上端縁(外端縁)が後述するセット枠３４に位置決めセットされた状態で略水平となるよう設定される。
【００２０】
前記ベース部材２８は、前記本体枠２７に略整合する大きさに形成された平板状部材であって、本体枠２７に対して裏側からネジ止め固定することで本体枠２７を補強している。またベース部材２８には、本体枠２７の窓部２７ａに対応する位置に、該窓部２７ａに略整合する開口部２８ａ(図９参照)が開設されており、パチンコ機１０の前側から遊技盤１２を目視し得るよう構成される。そして、図８または図９に示すように、前記ベース部材２８の裏面側における前記開口部２８ａの下方位置に、前記ガラスユニット１４の下部側を支持および固定する第１支持部材３２が配設されると共に、該開口部２８ａの上方位置に、ガラスユニット１４の上部側を固定する第２支持部材３３が配設してある。なお、実施例では、上下の支持部材３２,３３により、前枠１５に対してガラスユニット１４を支持するセット枠３４が構成される。
【００２１】
前記ベース部材２８の左側縁部(図３においては右側縁部)には、中枠１３に対する開閉連結機構３５が設けられ、該開閉連結機構３５を介して前枠１５は中枠１３に対して開閉自在に組付けられる。また、ベース部材２８の裏面側における右側縁部(図３においては左側縁部)には、施錠金具３６が配設されており、該施錠金具３６を介して前枠１５を中枠１３に対して閉成状態で保持し得るようになっている。
【００２２】
前記第１支持部材３２は、前記ベース部材２８に固定される支持板金３７と、該支持板金３７に配設されてベース部材２８にネジ止め固定される合成樹脂製の保護カバー３８とから構成される。前記支持板金３７は、図３に示す如く、左右方向に略水平に延在して前記ガラスユニット１４の水平下端部１４ａに対向する支持片３７ａと、該支持片３７ａの左右端部に連接されて支持片３７ａから離間するにつれて上方傾斜し、ガラスユニット１４の傾斜下端部１４ｂ,１４ｂに対向する左右の傾斜支持片３７ｂ,３７ｂとが一体的に折曲形成されている。
【００２３】
前記支持片３７ａの後端部には、図３,図４または図１０に示すように、所定範囲に亘って上方へ向けて突出する突出片３７ｃを折曲形成してある。なお、突出片３７ｃは、前記ガラスユニット１４の水平下端部１４ａを第１支持部材３２で支持した際に、該ガラスユニット１４に形成した凹部１４ｅに挿入し得る位置・大きさに形成される。すなわち、突出片３７ｃを凹部１４ｅに挿入することで、ガラスユニット１４の前後方向への移動を規制し得るようになっている。
【００２４】
前記保護カバー３８は、前記支持板金３７に配設した際に前記支持片３７ａの上面を覆う第１被覆面３８ａと、前記各傾斜支持片３７ｂの上面を対応して覆う第２被覆面３８ｂとを備え、前記ガラスユニット１４を第１支持部材３２に載置した際に、該第１被覆面３８ａにガラスユニット１４の水平下端部１４ａが当接すると共に、該第２被覆面３８ｂ,３８ｂにガラスユニット１４の傾斜下端部１４ｂ,１４ｂが対応して当接するようになっている。
【００２５】
また、前記第１被覆面３８ａには、前記支持片３７ａにおける前記突出片３７ｃに対応する部位に切欠部３８ｃが形成されて、前記支持板金３７に保護カバー３８を配設した際に、該突出片３７ｃが切欠部３８ｃに臨んで前記ベース部材２８の開口部２８ａ側に露出するようになっている。すなわち、保護カバー３８を支持板金３７に配設した状態で、前記突出片３７ｃをガラスユニット１４の凹部１４ｅに挿脱し得るよう構成される。また、前記第２被覆面３８ｂ,３８ｂの第１被覆面３８ａに対する傾斜角度は、対応するガラスユニット１４の傾斜下端部１４ｂ,１４ｂの水平下端部１４ａに対する傾斜角度に略合致するよう設定され、前記保護カバー３８の上面は、ガラスユニット１４の下部の外郭形状に略整合するよう形成されている。
【００２６】
前記保護カバー３８の左右端部には、前記ガラスユニット１４の傾斜下端部１４ｂ,１４ｂに形成した固定板３１,３１の前面(一方の面)が当接する第１当接片(当接片)３９,３９が形成されると共に、各第１当接片３９に隣接する下側に、後方に所定高さで突出する第１設置部４０が夫々形成されている。各第１設置部４０における第１当接片３９側の第１立上り面４０ａは、第１支持部材３２にガラスユニット１４を支持した状態で対応する固定板３１の対向する下端縁と平行となるよう略水平に延在している(図７参照)。また各第１設置部４０には、ロック位置と解除位置との間を回動する第１ロック部材(ロック部材)４１が回動自在に枢支されており、該第１ロック部材４１は、第１当接片３９および第１設置部４０との対向面が平行な状態を保って回動するよう設定される。第１設置部４０の高さ(第１立上り面４０ａの前後方向の長さ)、すなわち第１当接片３９と第１ロック部材４１との対向面間の離間距離は、前記固定板３１の厚みと略同じか僅かに小さく設定されており、固定板３１を第１当接片３９に当接させた状態で第１ロック部材４１を回転操作してロック位置に位置決めすることにより、該固定板３１が第１当接片３９と第１ロック部材４１との間に挟持され、前記ガラスユニット１４の下部を固定するようになっている。なお、ガラスユニット１４の固定解除は、第１ロック部材４１を固定時とは反対方向に回転操作して解除位置に臨ませることにより行なわれる。
【００２７】
前記第１設置部４０に対して第１ロック部材４１は、前枠内方側に臨む端部に設けられた円筒状の枢支部４２が枢軸４３を介して回動自在に枢支されており、該枢支部４２から前枠外方側に向けて所定長さで延在する操作固定部４４が上下方向に回動するよう構成されている。操作固定部４４は、図５〜図７に示す如く、矩形平板状の固定部４４ａと、該固定部４４ａの裏面中央に突設された操作部４４ｂとから構成され、該固定部４４ａの前面がロック位置において前記固定板３１の裏面(他方の面)に当接するようになっている。なお、第１ロック部材４１は、固定部４４ａにおける上側の端縁が、第１設置部４０の第１立上り面４０ａと略平行に位置して、該固定部４４ａが第１設置部４０から第１当接片３９側に突出しない略水平な姿勢(固定板３１における下側の外端縁と平行な姿勢)が解除位置(図６参照)とされ、この状態で前記固定板３１の固定が解除される。これに対し、固定部４４ａが第１当接片３９側に所定角度(約３０°)で斜めに延出する姿勢がロック位置(図７参照)とされ、この状態で固定板３１を第１当接片３９との間で挟持するよう構成される。
【００２８】
前記第１ロック部材４１は、操作固定部４４が略水平姿勢となる解除位置において、前記枢支部４２における第１当接片３９側に臨む外周が第１立上り面４０ａと略面一となる位置に臨み、この解除位置から僅かな回転によりロック位置に変移可能で、該第１ロック部材４１を回転するために大きなスペースを必要としないようになっている。また解除位置において第１ロック部材４１における操作固定部４４の自由端(前枠外方を向く端)は、前記ガラスユニット１４における対応する側端縁より外方に延出しないよう設定されており(図６参照)、前枠１５に組付けられるガラスユニット１４の側端縁より外方の部位に第１ロック部材４１の回動スペースを設ける必要がないようにしてある。
【００２９】
前記第１設置部４０における第１立上り面４０ａから離間する端縁部(下端縁部)に、所定高さで立上がる第１立上り部４５が形成されている。この第１立上り部４５は、図７に示す如く、ロック位置に臨む第１ロック部材４１の操作部４４ｂから所定長さだけ離間し、該第１ロック部材４１の解除操作に際し、２本の指で操作部４４ｂと第１立上り部４５とを挟むように把持して力を加えることで、第１ロック部材４１の解除位置への回転を容易に行ない得るようにするべく機能する。更に第１立上り部４５は、第１ロック部材４１の必要以上の回転を規制する機能も有する。なお、前記操作部４４ｂの上下両側面は凹むように湾曲し、ロック位置において操作部４４ｂとガラスユニット１４の支持枠３０との間に手指を容易に挿入し得るようにしてある。
【００３０】
前記第１設置部４０における前枠内方側には、更に裏側に向けて立上がる第１壁部４６が形成され、該壁部４６の側面に、係止部(第１被係止部)としての第１下係止凹部４７と第２被係止部としての第２下係止凹部４８が、第１ロック部材４１の回動方向に離間して形成されている。これに対し、前記第１ロック部材４１における枢支部４２の外周所定位置に、前記第１下係止凹部４７および第２下係止凹部４８に係脱自在に係合する第１係止部としての第１係止突部４９が形成される。そして、第１ロック部材４１の解除位置では第１係止突部４９が第１下係止凹部４７に係合して、該第１ロック部材４１を解除位置に保持し(図６参照)、また第１ロック部材４１のロック位置では第１係止突部４９が第２下係止凹部４８に係合して、該第１ロック部材４１をロック位置に保持するよう構成される(図７参照)。なお、第１ロック部材４１の枢支部４２には、第１係止突部４９から周方向に離間し、かつ第１ロック部材４１の解除位置とロック位置との間の回動に際して前記ガラスユニット１４等に干渉しない位置に第２係止部としての第２係止突部５０が形成されており、該第２係止突部５０は、後述するように第２支持部材３３に配設される後述の第２ロック部材５３と第１ロック部材４１とを入れ替えたときに、第１係合部として用いられるよう構成されている。
【００３１】
前記第２支持部材３３には、図８に示すように、前記ガラスユニット１４を第１支持部材３２に支持した際に、ガラスユニット１４の水平上端部１４ｃと平行に臨む水平枠部３３ａと、該水平枠部３３ａの左右両側に形成され、ガラスユニット１４の傾斜上端部１４ｄ,１４ｄと平行に臨む傾斜枠部３３ｂ,３３ｂとが設けられている。すなわち、前記第２支持部材３３の下面は、前記ガラスユニット１４の上部の外郭形状に略整合するよう形成されている。
【００３２】
前記第２支持部材３３の左右端部には、前記ガラスユニット１４の傾斜上端部１４ｄ,１４ｄに形成した固定板３１,３１の前面(一方の面)が当接する第２当接片(当接片)５１,５１が形成されると共に、各第２当接片５１に隣接する上側に、後方に所定高さで突出する第２設置部５２が夫々形成されている。各第２設置部５２における第２当接片５１側の第２立上り面５２ａは、第１支持部材３２にガラスユニット１４を支持した状態で固定板３１の対向する上端縁と平行となるよう略水平に延在している。また各第２設置部５２には、ロック位置と解除位置との間を回動する第２ロック部材(ロック部材)５３が回動自在に枢支されており、該第２ロック部材５３は、その第２当接片５１および第２設置部５２との対向面が平行な状態を保って回動するよう設定される。第２設置部５２の高さ(第２立上り面５２ａの前後方向の長さ)、すなわち第２当接片５１と第２ロック部材５３との対向面間の離間距離は、前記固定板３１の厚みと略同じか僅かに小さく設定されており、固定板３１を第２当接片５１に当接させた状態で第２ロック部材５３を回転操作してロック位置に位置決めすることにより、該固定板３１が第２当接片５１と第２ロック部材５３との間に挟持され、前記ガラスユニット１４の上部を固定するようになっている。なお、第２当接片５１の前面は前記第１当接片３９の前面と、また第２設置部５２の前面は前記第１設置部４０の前面と夫々同一面内に位置して、ガラスユニット１４を略垂直姿勢で固定保持し得るようになっている。また、ガラスユニット１４の固定解除は、第２ロック部材５３を固定時とは反対方向に回転操作して解除位置に臨ませることにより行なわれる。
【００３３】
前記第２ロック部材５３の基本構成は、前記第１ロック部材４１と同一であって、同一部分には同じ符号を付して示すこととする。すなわち、第２ロック部材５３における円筒状の枢支部４２が枢軸４３を介して第２設置部５２の前枠内方側に回動自在に枢支されて、該枢支部４２から前枠外方側に向けて所定長さで延在する操作固定部４４が上下方向に回動するよう構成される。前述したと同様に操作固定部４４は、矩形平板状の固定部４４ａと、該固定部４４ａの裏面中央に突設された操作部４４ｂから構成され、該固定部４４ａの前面がロック位置において前記固定板３１の裏面(他方の面)に当接するようになっている。なお、第２ロック部材５３は、固定部４４ａにおける下側の端縁が、第２設置部５２の第２立上り面５２ａと略平行に位置して、該固定部４４ａが第２設置部５２から第２当接片５１側に突出しない略水平な姿勢(固定板３１における上側の外端縁と平行な姿勢)が解除位置(図６参照)とされ、この状態で前記固定板３１の固定が解除される。これに対し、固定部４４ａが第２当接片５１側に所定角度(約３０°)で斜めに延出する姿勢がロック位置(図７参照)とされ、この状態で固定板３１を第２当接片５１との間で挟持するよう構成される。
【００３４】
前記第２ロック部材５３は、操作固定部４４が略水平姿勢となる解除位置において、前記枢支部４２における第２当接片５１側に臨む外周が第２立上り面５２ａと略面一となる位置に臨み、この解除位置から僅かな回転によりロック位置に変移可能で、該第２ロック部材５３を回動するために大きなスペースを必要としないようになっている。また解除位置において第２ロック部材５３における操作固定部４４の自由端(前枠外方を向く端)は、前記ガラスユニット１４における対応する側端縁より外方に延出しないよう設定されており(図６参照)、前枠１５に組付けられるガラスユニット１４の側端縁より外方の部位に第２ロック部材５３の回動スペースを設ける必要がないようにしてある。
【００３５】
前記第２設置部５２における第２立上り面５２ａから離間する端縁部(上端縁部)に、所定高さで立上がる第２立上り部５４が形成されている。この第２立上り部５４は、ロック位置に臨む第２ロック部材５３の操作部４４ｂから所定長さだけ離間し、該第２ロック部材５３の解除操作に際し、２本の指で操作部４４ｂと第２立上り部５４とを挟むように把持して力を加えることで、第２ロック部材５３の解除位置への回転を容易に行ない得るようにするべく機能する。更に第２立上り部５４は、第２ロック部材５３の必要以上の回転を規制する機能も有する。
【００３６】
前記第２設置部５２における第２立上り部５４に隣接する部位には、更に裏側に向けて立上がる第２壁部５５が形成され、該壁部５５に、第１被係止部としての第１上係止凹部５６と第２被係止部としての第２上係止凹部５７が第２ロック部材５３の回動方向に離間して形成されている。これに対し、前記第２ロック部材５３における枢支部４２の外周所定位置に、前記第１上係止凹部５６および第２上係止凹部５７に係脱自在に係合する第１係止部としての第１係止突部４９が形成される。そして、第２ロック部材５３の解除位置では第１係止突部４９が第１上係止凹部５６に係合して、該第２ロック部材５３を解除位置に保持し(図６参照)、また第２ロック部材５３のロック位置では第１係止突部４９が第２上係止凹部５７に係合して、該第２ロック部材５３をロック位置に保持するよう構成される(図７参照)。なお、第２ロック部材５３の枢支部４２には、第１係止突部４９から周方向に離間し、かつ第２ロック部材５３の解除位置とロック位置との間の回動に際して前記ガラスユニット１４等に干渉しない位置に第２係止部としての第２係止突部５０が形成されており、該第２係止突部５０は、後述するように第１支持部材３２に配設される前記第１ロック部材４１と第２ロック部材５３とを入れ替えたときに、第１係合部として用いられるよう構成されている。
【００３７】
実施例における第１ロック部材４１と第２ロック部材５３は、第１係止突部４９と第２係止突部５０との配設位置が異なるだけで、基本的に同一構成に成形されて、前枠１５の対角線上に位置する第１ロック部材４１と第２ロック部材５３とを共用し得るようにしてある。すなわち、対角線上に位置する第１ロック部材４１と第２ロック部材５３とを入れ替えた場合は、第１ロック部材４１および第２ロック部材５３の第２係止突部５０が、対応する壁部４６,５５に設けられた第１下係止凹部４７または第１上係止凹部５６および第２下係止凹部４８または第２上係止凹部５７に係合するようになっている。また、第１ロック部材４１を第２設置部５２に配設したとき、および第２ロック部材５３を第１設置部４０に配設したときの何れの場合も、各枢支部４２に設けられた第１係止突部４９が第１ロック部材４１および第２ロック部材５３の回動に際してガラスユニット１４等と干渉しないよう構成してある。なお、第１ロック部材４１および第２ロック部材５３は、対応する第１支持部材３２および第２支持部材３３に対して着脱自在に配設され、必要に応じて交換可能に構成されている。
【００３８】
前記第１支持部材３２(セット枠３４)には、前記中枠１３に対して前枠１５を閉成した際に、前記内レール(内レール部材１８およびコーナーレール２０)とガラスユニット１４のガラス板２９との隙間を塞いで、不正防止を図る防犯部材５８が揺動自在に配設されている。防犯部材５８は、図１２および図１３に示す如く、横長板状に形成された基部５９と、該基部５９の上端縁に形成された閉塞部６０と、この閉塞部６０の上端縁に形成された規制部６１とを備えて、全体が透明な合成樹脂材により成形されている。前記基部５９には、その長手方向(左右方向)の両端部に前方に延出する延出部６２,６２が形成されており、各延出部６２には左右方向に貫通する枢支孔６２ａが夫々穿設されている。前記第１支持部材３２の下部には、左右方向に離間して一対の軸部６３,６３が相互に離反する方向に突出されており(図５参照)、前記両延出部６２,６２の枢支孔６２ａ,６２ａに対応する軸部６３,６３を挿通することで、第１支持部材３２に対して防犯部材５８は、前記閉塞部６０がガラスユニット１４の裏側に臨むよう略鉛直姿勢となる不正防止位置(図８参照)と、ガラスユニット１４の裏側から待避するよう傾斜する傾倒位置(図９参照)との間を揺動するよう構成される。そして、この傾倒位置において、ガラスユニット１４を支持するセット枠３４におけるガラスユニット１４の収容部分の裏側から完全に待避し、ガラスユニット１４の前枠１５に対する着脱を許容するようになっている。なお防犯部材５８は、枢支孔６２ａ,６２ａから軸部６３,６３を抜き外すことで、第１支持部材３２から取外し得るようにしてある。
【００３９】
前記閉塞部６０は、その上端縁が、図１１に示す如く、前記内レール(内レール部材１８およびコーナーレール２０)の前端縁に沿う円弧状に形成されており、前記中枠１３に対して前枠１５を閉成したときに、閉塞部６０が内レール(内レール部材１８およびコーナーレール２０)とガラスユニット１４における裏側のガラス板２９との隙間を塞ぐようになっている(図１０参照)。具体的に閉塞部６０は、前記戻り球排出口２５ａの上方において、該排出口２５ａを挟む左右方向の所定長さに亘って延在し、その左側において内レール部材１８とガラス板２９との隙間を塞ぎ、その右側においてコーナーレール２０とガラス板２９との隙間を塞ぎ、戻り球排出口２５ａから通入された不正器具の遊技領域１２ａへの侵入を阻止するべく機能する。また、防犯部材５８を不正防止位置に位置決めした際に、前記基部５９が第１支持部材３２の裏面に当接(面接触)し、両部材間に略隙間が生じないようにしてある。更に、基部５９の上端縁、すなわち閉塞部６０との連設部の前面には、その長手方向の全長に亘って段部６４が形成されて、基部５９と段部６４および閉塞部６０の下端部とにより断面クランク状を呈するように構成される。そして、防犯部材５８を不正防止位置に位置決めした際に、図１０に示すように、該段部６４がガラスユニット１４における前記支持枠３０の下端縁部(水平下端部１４ａ)に裏側から嵌合し、その嵌合部位がラビリンス構造となることで、第１支持部材３２と基部５９との間に仮に不正器具が通入されたとしても、該不正器具の更に上方への侵入を確実に阻止するよう構成してある。
【００４０】
前記防犯部材５８における前記閉塞部６０の裏面には、前記遊技盤１２におけるアウト口１２ｂの左側から左端部までの間の上端縁に亘り、後方に所定長さで延出する規制部６１が形成されている。この規制部６１は、前記内レール部材(内レールの一部)１８の下面に沿う円弧状に形成されており、不正防止位置においては内レール部材１８の下面に沿って前記戻り球排出口２５ａの上方からパチンコ球の発射方向前側に向けて所定長さで延在し、該戻り球排出口２５ａから通入された不正器具の遊技領域１２ａへの侵入を確実に防止するよう構成される。なお、規制部６１の右端(アウト口側の端)には下方に向けて折曲する規制突部６１ａが設けられ、戻り球排出口２５ａから侵入した不正器具がコーナーレール２０の配設側に移動するのを防止するようになっている。
【００４１】
ここで、前記前枠１５に対して中枠１３は左端縁を支点として開閉動するよう構成されている関係で、中枠１３に対して前枠１５を開閉するに際し、不正防止位置に位置決めされた防犯部材５８の規制部６１が前記内レール部材１８に干渉するおそれがある。そこで、実施例では規制部６１の左端部側の突出寸法を、左端に向かうにつれて小さくなるよう設定し、中枠１３に対して前枠１５を開閉するに際して規制部６１が内レール部材１８に干渉しないようにしてある。また、前記閉塞部６０の左側の上端部には、左方に延出する規制片６０ａが形成され、該規制片６０ａは、不正防止位置において前記外レール１９の前端に当接して、閉塞部６０が前記発射通路２２内に入り込むのを防止するべく機能している。
【００４２】
前記第１支持部材３２(セット枠３４)の裏面における左右方向の略中央に、係合部としての係合突起６５が突設されている。また防犯部材５８における基部５９の左右方向の略中央に、前記係合突起６５が係脱自在に係合する被係合部としての係合孔５９ａが穿設されている。そして、防犯部材５８を傾倒位置から不正防止位置に傾動した際に、合成樹脂製の基部５９が橈むことで係合孔５９ａに係合突起６５が容易に嵌挿されて基部５９に係合し、当該防犯防材５８を不正防止位置に保持するよう構成される(図１０参照)。また係合突起６５の係合を解除するには、基部５９を第１支持部材３２の裏面から離間するように橈ませて係合孔５９ａから係合突起６５を離脱させればよく、この状態で防犯部材５８の傾倒位置への傾動変位が可能となる。
【００４３】
〔実施例の作用〕
次に、実施例に係るパチンコ機の作用につき説明する。
【００４４】
実施例に係る前記ガラスユニット１４を前枠１５に配設するに際しては、図１に示すように、前記中枠１３に対して前枠１５を開放したもとで、図９に示す如く、該前枠１５に配設されている前記防犯部材５８を傾倒位置に傾動変位すると共に、前記第１支持部材３２に配設されている各第１ロック部材４１を解除位置に回転し、更に第２支持部材３３に配設されている各第２ロック部材５３を解除位置に回転する。このとき、第１ロック部材４１および第２ロック部材５３の各第１係止突部４９が、対応する第１下係止凹部４７または第１上係止凹部５６に係合し(図６参照)、第１ロック部材４１および第２ロック部材５３は、夫々解除位置に保持される。殊に、上側の第２ロック部材５３においては、ロック位置に対して解除位置は上方に回転した位置となるので、該第２ロック部材５３は自重によりロック位置に回転するおそれがある。しかるに、実施例の第２ロック部材５３は、第１上係止凹部５６に対して第１係止突部４９が係合して解除位置に確実に保持されるから、ガラスユニット１４の取付け作業中に第２ロック部材５３が解除位置からロック位置に向けて回転して作業に支障を来たすのを防止し得る。すなわち、作業者が第２ロック部材５３を解除位置に保持しつつ重量のあるガラスユニット１４を取付ける作業を行なう必要はなく、取付け作業が簡単となる。
【００４５】
前述した状態で、前記ガラスユニット１４の水平下端部１４ａを、ベース部材２８の裏面側に配設した第１支持部材３２の支持片３７ａおよび第１被覆面３８ａに対して斜めの状態で仮置きする。このとき、第１支持部材３２の突出片３７ｃがガラスユニット１４の凹部１４ｅに挿入し、ガラスユニット１４の前後方向への移動は規制される。前記防犯部材５８は傾倒位置に臨んで、前枠１５におけるガラスユニット１４を支持するセット枠３４の収容部分の裏側から完全に待避しているから、ガラスユニット１４を第１支持部材３２に載置する際に、該防犯部材５８が邪魔となることはなく、また防犯部材５８にガラスユニット１４が接触して破損するおそれもない。第１支持部材３２に仮置きしたガラスユニット１４を前側に倒すと、該ユニット１４における支持枠３０の前面がベース部材２８の裏面に当接すると共に、その各隅部に設けた固定板３１が、前記第１支持部材３２の第１当接片３９および第２支持部材３３の第２当接片５１に夫々対応的に当接する。この状態で、前記第１ロック部材４１,４１および第２ロック部材５３,５３を回転操作することで、ガラスユニット１４はベース部材２８の裏側に配設固定される。すなわち、第１ロック部材４１および第２ロック部材５３を解除位置からロック位置に向けて回転(固定板３１の対応する下または上端縁側に回転)することで、該ロック部材４１,５３の各操作固定部４４が対応する設置部４０,５２から当接片３９,５１側に延出し、各固定板３１は当接片３９,５１と操作固定部４４,４４との間に挟持される(図７参照)。これにより、ガラスユニット１４は、その４隅が、ロック部材４１,５３を介して位置決め固定される。
【００４６】
ロック位置まで回転したロック部材４１,５３は、第１係止突部４９が第２下係止凹部４８または第２上係止凹部５７に係合することで、ロック位置に保持される。このとき、下側の第１ロック部材４１においては、ロック位置に対して解除位置は下方に回転した位置となるので、該第１ロック部材４１は自重により解除位置に回転するおそれがある。しかるに、実施例の第１ロック部材４１は、第２下係止凹部４８に対して第１係止突部４９が係合してロック位置に確実に保持されるから、パチンコ機１０に加えられる衝撃等によって第１ロック部材４１が解除位置に回転してガラスユニット１４に対する固定が不用意に解除されるのは防止される。
【００４７】
ここで、実施例では、前記ガラスユニット１４を支持する第１支持部材３２を、金属製の支持板金３７と合成樹脂製の保護カバー３８とから構成して、該支持板金３７を金属製のベース部材２８に固定してあるから、第１支持部材３２の耐荷重性が向上する。すなわち、合成樹脂製の本体枠２７に支持板金３７を固定する構成や、金属製のベース部材２８に合成樹脂製の第１支持部材３２を固定する構成に較べて、金属製のベース部材２８と支持板金３７とを固定することで両部材２８,３７を強固に固定できるから、重量が嵩むガラスユニット１４を第１支持部材３２で支持した場合でも、該第１支持部材３２(すなわち支持板金３７や保護カバー３８)が変形するのを防止できる。
【００４８】
また、前記支持板金３７に保護カバー３８を配設し、該支持板金３７の支持片３７ａおよび傾斜支持片３７ｂの上面を保護カバー３８の第１被覆面３８ａおよび第２被覆面３８ｂで覆うよう構成してある。すなわち、前記ガラスユニット１４の支持枠３０は合成樹脂製であることから、該ガラスユニット１４を支持板金３７に直接当接させて支持するよう構成した場合には、該支持枠３０は疵付き易く、支持枠３０の劣化を早めて耐用年数の短期化を招来することも考えられる。そこで、実施例のように、ガラスユニット１４の支持枠３０を合成樹脂製の保護カバー３８に当接させることで、該ガラスユニット１４(支持枠３０)が疵付くのを抑制することができ、長期に亘ってガラスユニット１４を使用に供することが可能となる。この場合に、ガラスユニット１４が当接する保護カバー３８の第１被覆面３８ａおよび第２被覆面３８ｂの夫々を、前記支持板金３７の支持片３７ａおよび傾斜支持片３７ｂで支持しているから、該保護カバー３８に変形等の不具合が生ずることはない。
【００４９】
そして、前記ガラスユニット１４の水平下端部１４ａに凹部１４ｅを形成すると共に、凹部１４ｅに挿入して係合可能な突出片３７ｃを前記支持板金３７に形成したことで、ガラスユニット１４を取付けるに際し、該凹部１４ｅに突出片３７ｃが挿入係合して、ガラスユニット１４の前後方向への移動を規制し得る。すなわち、ガラスユニット１４を所定の取付位置に位置合わせするときに、該ガラスユニット１４が第１支持部材３２から脱落するのを防止でき、該ガラスユニット１４の取付作業性の向上を図り得る。また、前記突出片３７ｃを支持板金３７に形成したことで、該突出片３７ｃを凹部１４ｅに挿入した状態でガラスユニット１４を前後方向に移動して突出片３７ｃに負荷が掛かった場合であっても、樹脂製とした場合に較べて当該突出片３７ｃが損傷するのを抑制できる。
【００５０】
なお、前記保護カバー３８の第１被覆面３８ａに、前記支持板金３７の突出片３７ｃに対応する位置に切欠部３８ｃを形成して、支持板金３７に保護カバー３８を取付けた状態で突出片３７ｃが本体枠２７の窓部２７ａ側に臨むよう構成したから、前記ガラスユニット１４の凹部１４ｅと突出片３７ｃとの係脱を保護カバー３８が阻害することはない。
【００５１】
また実施例では、前記ガラスユニット１４の下端部の外郭形状に略合致する形状に保護カバー３８を形成してある。すなわち、ガラスユニット１４に形成した傾斜下端部１４ｂ,１４ｂに整合するよう保護カバー３８に第２被覆面３８ｂ,３８ｂを形成してあるから、該ガラスユニット１４の傾斜下端部１４ｂ,１４ｂを、保護カバー３８の対応する第２被覆面３８ｂ,３８ｂに当接させれば、ガラスユニット１４の自重により凹部１４ｅに突出片３７ｃが挿入される位置へガラスユニット１４を移動させることができる。このように、ガラスユニット１４の凹部１４ｅと、前記第１支持部材３２の突出片３７ｃとを作業者が正確に位置合わせすることなく凹部１４ｅに突出片３７ｃを挿入させ得るから、ガラスユニット１４の脱落防止を簡単に行ない得ると共に、当該ガラスユニット１４の取付作業性をより一層向上させ得る。
【００５２】
ここで、前述のように、前記保護カバー３８の第２被覆面３８ｂを、前記支持板金３７に形成した傾斜支持片３７ｂで支持しているから、該第２被覆面３８ｂにガラスユニット１４の荷重が掛かった場合でも変形や割れ等の不具合が生ずるのを防止できる。そして、ガラスユニット１４を第１支持部材３２に載置して突出片３７ｃを凹部１４ｅに挿入させた後は、前記傾斜下端部１４ｂ,１４ｂと第２被覆面３８ｂ,３８ｂとが当接することでガラスユニット１４の左右方向を位置規制でき、前記第１および第２ロック部材４１,５３による固定作業を容易に行ない得る利点がある。
【００５３】
また、前記ガラスユニット１４を前記第１支持部材３２で支持すると共に位置決めして、該ガラスユニット１４をベース部材２８に当接させれば、ガラスユニット１４の各固定板３１が前記保護カバー３８(第１支持部材３２)の第１当接片３９および第２支持部材３３の第２当接片５１に夫々対応的に当接する。この状態で、前記保護カバー３８に設けた第１ロック部材４１,４１と、第２支持部材３３に設けた第２ロック部材５３,５３とを回転操作することでガラスユニット１４を固定することができる。すなわち、ガラスユニット１４を前記第１支持部材３２で支持することで、ガラスユニット１４の固定作業を簡単に行なうことができる。
【００５４】
ここで、前記遊技盤１２を大型化して遊技演出の多様化を図る場合には、該遊技盤１２を前面側から視認し得るよう前枠１５(本体枠２７)の窓部２７ａを大きくする必要があり、該窓部２７ａに臨むガラスユニット１４も大型化して重量が大きくなる。一方、前枠１５(本体枠２７)における窓部２７ａの割合が大きくなることで前枠１５(本体枠２７)の剛性は低下するため、重量物となるガラスユニット１４を設けると前枠１５(本体枠２７)に変形等の不具合を生じ易くなる。そこで、実施例では、前記本体枠２７の裏面側に、該本体枠２７に略整合する大きさに形成した金属製のベース部材２８を配設するようにしたから、本体枠２７に開設する窓部２７ａの割合が大きくなった場合でも、当該本体枠２７に要求される剛性を確保することができる。
【００５５】
前記前枠１５にガラスユニット１４を配設固定したもとで、傾倒位置の前記防犯部材５８を不正防止位置に向けて回転操作すると、前記基部５９が第１支持部材３２の裏面に当接すると共に、前記閉塞部６０がガラスユニット１４における裏側のガラス板２９の裏側に臨む(図８参照)。このとき、第１支持部材３２の係合突起６５が、基部５９の係合孔５９ａに嵌挿されて基部５９に係合し、当該防犯防材５８は不正防止位置に保持される。この状態で、前記中枠１３に対して前枠１５を閉成すると、図１０に示す如く、中枠１３に配設されている遊技盤１２の内レール(内レール部材１８およびコーナーレール２０)とガラスユニット１４の対向するガラス板２９との隙間を閉塞部６０が塞ぐ。すなわち、前記戻り球排出口２５ａの上方において、該排出口２５ａを挟む左右方向の所定長さに亘って、内レール部材１８およびコーナーレール２０とガラス板２９との隙間は閉塞部６０で塞がれるから、戻り球排出口２５ａから通入された不正器具の遊技領域１２ａへの侵入を阻止することができる。なお、防犯部材５８の規制片６０ａが前記外レール１９の前端に当接して前記閉塞部６０は発射通路２２内に入り込まないから、該発射通路２２内でのパチンコ球の移動を阻害することはない。また防犯部材５８は透明合成樹脂製であるから、遊技者からパチンコ球の移動状態を隠すことはない。
【００５６】
また、前記中枠１３に対する前枠１５の閉成状態では、前記閉塞部６０に設けられている前記規制部６１が、前記案内レール２１の発射通路２２内に入って、前記内レール部材１８の下面に沿って所定長さで延在する。従って、戻り球排出口２５ａを介して発射通路２２に通入された不正器具が、内レール部材１８の前端側に進入するのを規制部６１で確実に防ぐことができる。更に、実施例の防犯部材５８は、図１０に示す如く、基部５９が第１支持部材３２の裏面に当接すると共に、前記段部６４が第１支持部材３２の下端縁部に嵌合しているから、防犯部材５８と第１支持部材３２の間からの不正器具の侵入も確実に防止することができ、極めて高い防犯性能を発揮し得る。
【００５７】
なお、前記戻り球排出口２５ａから通入して不正器具を前記規制部６１に沿って右方に移動させた場合は、該規制部６１の右端に垂設された規制突部６１ａにより不正器具の進行方向は下方に向けられるから、該規制部６１が設けられていない右側部においても不正器具の侵入を防止することができる。
【００５８】
また実施例では、前記ガラスユニット１４の固定板３１を、支持部材３２,３３に設けた当接片３９,５１とロック部材４１,５３とで挟持固定しているから、遊技中等においてガラスユニット１４が前側から押された場合は、ロック部材４１,５３にのみ力が加わることはなく、支持部材３２,３３にも力が分散して加わる。従って、ロック部材４１,５３が破損するのを抑制し得る。
【００５９】
次に、前記ガラスユニット１４の取外しに際しては、前記中枠１３に対して前枠１５を開放し(図１参照)、前記第１支持部材３２の係合突起６５と防犯部材５８の係合孔５９ａとの係合を解除して、該防犯部材５８を傾倒位置に向けて傾動させる。これにより、防犯部材５８は、前枠１５におけるセット枠３４のガラスユニット１４を支持する収容部分の裏側から完全に待避し、ガラスユニット１４の取外しの邪魔となることはない(図９参照)。この状態で、前記第１および第２ロック部材４１,５３を、固定時とは反対方向に回転操作し、各操作固定部４４を対応する固定板３１の裏側から待避することで、ガラスユニット１４を簡単に取外すことができる。この場合に、前述したように上側の第２ロック部材５３は、第１係止突部４９が第１上係止凹部５６に係合して解除位置に保持されて、自重によりロック位置に向けて回転することはないから、作業者が第２ロック部材５３を解除位置に保持しつつ重量のあるガラスユニット１４を取外す作業を行なう必要はなく、取外し作業が簡単となる。またロック部材４１,５３を回転操作する際には、前記各操作部４４ｂと対応する立上り部４５,５４とを２本の指で挟むように把持して力を加えることで容易に行ない得る。なお、操作部４４ｂの上または下の側面は凹んでいるから、該操作部４４ｂとガラスユニット１４(支持枠３０)との間に指を容易に挿入することができ、操作部４４ｂと立上り部４５,５４とを確実に把持すことができる。しかも、立上り部４５,５４によりロック部材４１,５３の必要以上の回転は規制されるから、該ロック部材４１,５３を回し過ぎて第１係止突部４９が削れたり破損させるおそれもない。
【００６０】
ここで、第１および第２ロック部材４１,５３による固定を解除したときは、前記第１支持部材３２でガラスユニット１４が支持されているから、該ガラスユニット１４の脱落を防止し得る。なお、前記第１ロック部材４１および第２ロック部材５３を、対応する前記第１支持部材３２および第２支持部材３３に着脱自在に配設したから、長期間の使用により第１および第２ロック部材４１,５３が劣化等した場合には、該ロック部材４１,５３のみを交換することで対応できる。また実施例では、前枠１５の対角線上に位置する第１ロック部材４１と第２ロック部材５３を入れ替え可能に構成してあるから、ロック部材を製造する際の金型は２種類で足り、製造コストを抑制することができる。
【００６１】
更に、実施例では、各ロック部材４１,５３の操作固定部４４が略水平となる姿勢、すなわち対応する固定板３１における下端縁または上端縁と平行な姿勢を解除位置としたから、該解除位置からロック位置への回転角度を小さく抑えることができる。従って、ロック部材４１,５３の設置スペースを小さくして、スペースの有効利用を図り得る。しかも、各ロック部材４１,５３の枢支部４２を、対応する設置部４０,５２に対して前枠内方側に配置し、操作固定部４４の自由端がガラスユニット１４の側端縁から外方に突出しないようにしてあるから、ガラスユニット１４の左右方向の寸法を前枠１５に対して最大限に大きくすることが可能となる。
【００６２】
前述したように、実施例の防犯部材５８は第１支持部材３２に対して揺動自在に配設され、ガラスユニット１４の前枠１５に対する着脱に際し、該防犯部材５８を第１支持部材３２から取外す必要はない。従って、防犯部材５８を無くしたり取付け忘れを防止し得る。また、防犯部材５８が傾倒位置に保持されている状態では、中枠１３に対して前枠１５を閉成することはできない。すなわち、防犯部材５８を正しく不正防止位置に保持した状態でなければ、前枠１５を中枠１３に対して閉成し得ないので、防犯部材５８は常に不正防止位置に保持されて内レール(内レール部材１８およびコーナーレール２０)とガラス板２９との隙間を塞ぎ、不正防止が図られた状態で遊技が行なわれる。なお、実施例では防犯部材５８は第１支持部材３２に対して着脱可能に構成されているから、破損等した場合は、該防犯部材５８を交換するだけで対応し得る。
【００６３】
実施例では、前記ガラスユニット１４の外郭形状を上下対称および点対称となるよう形成し、かつガラスユニット１４の水平上端部１４ｃにも、前記突出片３７ｃを挿入して係合可能な凹部１４ｅを形成してあるから、該ガラスユニット１４が上下反対向きの姿勢であっても前記第１支持部材３２に支持することができる。すなわち、作業者はガラスユニット１４の上下を正確に確認することなくガラスユニット１４の取付作業を行なうことができ、作業性の向上および作業時間の短縮を図り得る。この場合であっても、ガラスユニット１４の傾斜上端部１４ｄが前記保護カバー３８の第２被覆面３８ｂに略整合するから、ガラスユニット１４を通常の姿勢で取付ける場合と同様の作用効果が得られる。
【００６４】
〔変更例〕
なお、遊技機の構成としては、実施例のものに限らず、種々の変更が可能である。例えば、実施例では、防犯部材に被係合部としての係合孔を設け、第１支持部材(セット枠)に係合部としての係合突起を設けたが、逆の構成であってもよい。
【００６５】
また実施例では、前枠の対角線上に位置するロック部材同士を入れ替え可能に構成したが、全ての位置のロック部材を相互に入れ替え可能に構成することができる。例えば、図１４に示す如く、ロック部材６６における枢支部４２の外周に、第１および第２係止突部４９,５０とは別に第３係止突部(第３係止部)６７を設け、この第３係止突部６７が、左右または上下のロック部材を入れ替えた際に、第１支持部材３２または第２支持部材３３に形成した係止凹部４７,４８,５６,５７に係合するよう構成すればよい。そして、この場合は、全てのロック部材６６を共通化することができ、金型費を更に低減し得ると共に組付けに際して組付け位置を迷うことがなく、組付けが簡単になる。
【００６６】
実施例では、遊技機としてパチンコ機を例示して説明したが、これに限られるものではなく、中枠に組付けられた遊技盤の前面側を透視可能に保護する透視ユニットが、中枠に開閉自在に配設される前枠に対して裏側から着脱自在に組付けられるよう構成された遊技機であれば、アレンジボール機等の従来公知の各種遊技機を採用し得る。
【図面の簡単な説明】
【００６７】
【図１】本発明の実施例に係るパチンコ機を、中枠に対して前枠を開放した状態で示す斜視図である。
【図２】実施例に係るパチンコ機を示す正面図である。
【図３】実施例に係る前枠の一部およびガラスユニットを分解状態で示す斜視図である。
【図４】実施例に係る前枠にガラスユニットを配設した状態で一部破断して示す要部斜視図である。
【図５】実施例に係る第１支持部材を示す背面図である。
【図６】実施例に係る第１および第２ロック部材を解除位置に保持した状態を示す要部背面図である。
【図７】実施例に係る第１および第２ロック部材をロック位置に保持した状態を示す要部背面図である。
【図８】実施例に係る前枠を、防犯部材を不正防止位置に保持した状態で示す背面斜視面図である。
【図９】実施例に係る前枠を、防犯部材を傾倒位置に保持した状態で示す背面斜視面図である。
【図１０】実施例に係る中枠に対して前枠を閉成した状態における前枠と防犯部材および遊技盤の位置関係を示す要部説明断面図である。
【図１１】実施例に係る遊技盤と防犯部材との関係を示す正面図である。
【図１２】実施例に係る防犯部材の斜視図である。
【図１３】実施例に係る防犯部材の平面図である。
【図１４】変更例に係るロック部材の背面図である。
【符号の説明】
【００６８】
１２ 遊技盤，１２ａ 遊技領域，１３ 中枠
１４ ガラスユニット(透視ユニット)，１５ 前枠
１８ 内レール部材(内レール)，１９ 外レール
２０ コーナーレール(内レール)，２１ 案内レール，２２ 発射通路
２２ａ 入口(下方開口部分)，２５ａ 戻り球排出口，２６ 発射レール
２８ａ 開口部，２９ ガラス板(透明板)，３０ 支持枠，３２ 支持部材
３４ セット枠，５８ 防犯部材，５９ 基部，５９ａ 係合孔(被係合部)
６０ 閉塞部，６１ 規制部，６１ａ 規制突部，６２ 延出部
６２ａ 枢支孔，６３ 軸部，６４ 段部，６５ 係合突起(係合部)
【図１】
0004822911.tif 000002
【図２】
0004822911.tif 000003
【図３】
0004822911.tif 000004
【図４】
0004822911.tif 000005
【図５】
0004822911.tif 000006
【図６】
0004822911.tif 000007
【図７】
0004822911.tif 000008
【図８】
0004822911.tif 000009
【図９】
0004822911.tif 000010
【図１０】
0004822911.tif 000011
【図１１】
0004822911.tif 000012
【図１２】
0004822911.tif 000013
【図１３】
0004822911.tif 000014
【図１４】
0004822911.tif 000015